【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
マルチユーザワイヤレス通信のためのユーザ端末であって、
送信のためのアップリンクデータを記憶するための手段と、
アップリンクデータが前記記憶するための手段中に存在することに応答して、送信要求フレームを生成するための手段と、
前記送信要求フレームをいつ送信すべきかを決定するための送信タイマーを開始するための手段と
前記送信タイマーが満了したとき、または前記記憶するための手段中に存在する前記アップリンクデータがしきい値量を超えたとき、前記送信要求フレームを送信するための手段と、
前記送信要求フレームを送信することに応答して、タイムアウトタイマーを開始するための手段と、
前記送信された送信要求フレームに基づいて、アクセスポイントから送信許可フレームを受信するための手段、ここにおいて、前記送信するための手段は、前記ユーザ端末にアドレス指定された前記送信許可フレームを受信することに基づいて、少なくとも１つの他のユーザ端末がアップリンクデータを送信するのと同時に、指定された時間に前記アクセスポイントに、前記記憶するための手段中に存在する前記アップリンクデータを送信するように構成され、前記タイムアウトタイマーを開始するための手段は、送信許可フレームまたはポーリング要求フレームが前記受信するための手段によって受信されるとき、前記タイムアウトタイマーをクリアにし、前記送信するための手段は、前記タイムアウトタイマーが満了する前に、前記受信するための手段が前記送信許可フレームを受信しないことに応答して、前記送信要求フレームを再送信するするように構成された、と
を備える、ユーザ端末。
【請求項２】
前記受信するための手段は、前記アクセスポイントが前記送信要求フレームを受信したことに応答して、前記アクセスポイントから肯定応答フレームを受信するようにさらに構成された、
請求項１に記載のユーザ端末。
【請求項３】
前記受信するための手段は、前記アクセスポイントが前記送信許可フレームを送信する前に、前記ユーザ端末に関連するアップリンク情報を取得するために、前記アクセスポイントから前記ポーリング要求フレームを受信するようにさらに構成された、
請求項１に記載のユーザ端末。
【請求項４】
前記生成するための手段は、前記受信するための手段が前記ポーリング要求フレームを受信したことに応答して、前記ユーザ端末に関連する前記アップリンク情報を備えるポーリング応答フレームを生成するように構成され、
前記送信するための手段は、前記ポーリング応答フレームを前記アクセスポイントに送信するように構成された、
請求項３に記載のユーザ端末。
【請求項５】
前記生成するための手段サは、前記アップリンク情報を、前記ポーリング応答フレームのシーケンス制御フィールドまたはサービス品質制御フィールドの一方または両方の１つまたは複数のビットに挿入するように構成され、前記アップリンク情報は、前記記憶するための手段中に存在する前記アップリンクデータの量と、前記ユーザ端末の着信トラフィックレートと、前記アップリンクデータを送るための最大待ち時間と、メディアアクセス制御サービスデータユニットのサイズと、要求された送信機会の長さと、前記ユーザ端末に関連する変調およびコーディング方式とのうちの少なくとも１つを備える、
請求項４に記載のユーザ端末。
【請求項６】
ユーザ端末によるマルチユーザワイヤレス通信のための方法であって、
アップリンクデータを送信バッファに記憶することと、
前記アップリンクデータが前記送信バッファ中に存在することに応答して、送信要求フレームを生成することと、
前記送信要求フレームをいつ送信すべきかを決定するための送信タイマーを開始することと、
前記送信タイマーが満了したとき、または前記送信バッファ中に存在する前記アップリンクデータがしきい値量を超えたとき、前記送信要求フレームを送信することと、
前記送信要求フレームを送信すると、タイムアウトタイマーを開始することと、
前記送信された送信要求フレームに基づいて、アクセスポイントから送信許可フレームを受信することと、
送信許可フレームまたはポーリング要求フレームが受信されるとき、前記タイムアウトタイマーをクリアすることと、
前記送信許可フレームを受信したことに基づいて、少なくとも１つの他のユーザ端末がアップリンクデータを送信するのと同時に、指定された時間に前記アクセスポイントに、前記送信バッファ中に存在する前記アップリンクデータを送信することと、さもなければ、
前記タイムアウトタイマーが満了する前に前記送信許可フレームが受信されない場合、前記送信要求フレームを再送信することと
を備える、方法。
【請求項７】
前記アクセスポイントが前記送信要求フレームを受信したことに応答して、前記アクセスポイントから肯定応答フレームを受信することをさらに備える、
請求項６に記載の方法。
【請求項８】
前記アクセスポイントが前記送信許可フレームを送信する前に、アップリンク情報を取得するために前記アクセスポイントから前記ポーリング要求フレームを受信することをさらに備える、
請求項６に記載の方法。
【請求項９】
前記アクセスポイントから前記ポーリング要求フレームを受信したことに応答して、前記アップリンク情報を備えるポーリング応答フレームを生成することと、
前記ポーリング応答フレームを前記アクセスポイントに送信することと
をさらに備える、請求項８に記載の方法。
【請求項１０】
前記アップリンク情報は、前記送信バッファ中に存在する前記アップリンクデータの量と、前記ユーザ端末の着信トラフィックレートと、前記アップリンクデータを送るための最大待ち時間と、メディアアクセス制御サービスデータユニットのサイズと、要求された送信機会長さと、前記ユーザ端末に関連する変調およびコーディング方式とのうちの少なくとも１つを備え、前記方法が、前記アップリンク情報を、前記ポーリング応答フレームのシーケンス制御フィールドまたはサービス品質制御フィールドの一方または両方の１つまたは複数のビットに挿入することをさらに備える、
請求項９に記載の方法。
【請求項１１】
実行されると、プロセッサに、請求項６乃至１０のいずれか１項に従う方法を実行させるコードを備えるコンピュータ可読媒体。
【手続補正２】
【補正対象書類名】明細書
【補正対象項目名】０１２３
【補正方法】変更
【補正の内容】
【０１２３】
[00138]上記は本開示の態様を対象とするが、本開示の他の態様およびさらなる態様は、それの基本的範囲から逸脱することなく考案され得、それの範囲は以下の特許請求の範囲によって決定される。
以下に、本願出願の当初の特許請求の範囲に記載された発明を付記する。
［Ｃ１］
マルチユーザワイヤレス通信のためのユーザ端末であって、
送信のためのアップリンクデータを記憶するように構成された送信バッファと、
アップリンクデータが前記送信バッファ中に存在することに応答して、送信要求フレームを生成することと、
前記送信要求フレームをいつ送信すべきかを決定するための送信タイマーを開始することと
を行うように構成されたプロセッサと、
前記送信タイマーが満了したとき、または前記送信バッファ中に存在する前記アップリンクデータがしきい値量を超えたとき、前記送信要求フレームを送信するように構成された送信機と、
前記送信された送信要求フレームに基づいて、アクセスポイントから送信許可フレームを受信するように構成された受信機、ここにおいて、前記送信機は、前記ユーザ端末にアドレス指定された前記送信許可フレームを受信したことに基づいて、少なくとも１つの他のユーザ端末がアップリンクデータを送信するのと同時に、指定された時間に前記アクセスポイントに、前記送信バッファ中に存在する前記アップリンクデータを送信するように構成された、と
を備える、ユーザ端末。
［Ｃ２］
前記プロセッサは、前記送信機が前記送信要求フレームを送信したことに応答して、タイムアウトタイマーを開始するようにさらに構成され、
前記送信機は、前記タイムアウトタイマーが満了する前に前記受信機が前記送信許可フレームを受信しないことに応答して、前記送信要求フレームを再送信するように構成された、
［Ｃ１］に記載のユーザ端末。
［Ｃ３］
前記受信機は、前記アクセスポイントが前記送信要求フレームを受信したことに応答して、前記アクセスポイントから肯定応答フレームを受信するようにさらに構成された、
［Ｃ１］に記載のユーザ端末。
［Ｃ４］
前記送信タイマーのタイムアウト値および前記アップリンクデータの前記しきい値量のうちの少なくとも１つが、前記プロセッサと前記アクセスポイントの一方または両方によって構成可能である、
［Ｃ１］に記載のユーザ端末。
［Ｃ５］
前記受信機は、前記アクセスポイントが前記送信許可フレームを送信する前に、前記ユーザ端末に関連するアップリンク情報を取得するために、前記アクセスポイントからポーリング要求フレームを受信するようにさらに構成された、
［Ｃ１］に記載のユーザ端末。
［Ｃ６］
前記プロセッサは、前記受信機が前記ポーリング要求フレームを受信したことに応答して、前記ユーザ端末に関連する前記アップリンク情報を備えるポーリング応答フレームを生成するように構成され、
前記送信機が、前記ポーリング応答フレームを前記アクセスポイントに送信するように構成された、
［Ｃ５］に記載のユーザ端末。
［Ｃ７］
前記プロセッサは、前記アップリンク情報を、前記ポーリング応答フレームのシーケンス制御フィールドまたはサービス品質制御フィールドの一方または両方の１つまたは複数のビットに挿入するように構成され、前記アップリンク情報は、前記送信バッファ中に存在する前記アップリンクデータの量と、前記ユーザ端末の着信トラフィックレートと、前記アップリンクデータを送るための最大待ち時間と、メディアアクセス制御サービスデータユニットのサイズと、要求された送信機会の長さと、前記ユーザ端末に関連する変調およびコーディング方式とのうちの少なくとも１つを備える、
［Ｃ６］に記載のユーザ端末。
［Ｃ８］
ユーザ端末によるマルチユーザワイヤレス通信のための方法であって、
アップリンクデータを送信バッファに記憶することと、
前記アップリンクデータが前記送信バッファ中に存在することに応答して、送信要求フレームを生成することと、
前記送信要求フレームをいつ送信すべきかを決定するための送信タイマーを開始することと、
前記送信タイマーが満了したとき、または前記送信バッファ中に存在する前記アップリンクデータがしきい値量を超えたとき、前記送信要求フレームを送信することと、
前記送信された送信要求フレームに基づいて、アクセスポイントから送信許可フレームを受信することと、
前記送信許可フレームを受信したことに基づいて、少なくとも１つの他のユーザ端末がアップリンクデータを送信するのと同時に、指定された時間に前記アクセスポイントに、前記送信バッファ中に存在する前記アップリンクデータを送信することと
を備える、方法。
［Ｃ９］
前記送信要求フレームを送信すると、タイムアウトタイマーを開始することと、前記タイムアウトタイマーが満了する前に前記送信許可フレームが受信されない場合、前記送信要求フレームを再送信することとをさらに備える、
［Ｃ８］に記載の方法。
［Ｃ１０］
前記アクセスポイントが前記送信要求フレームを受信したことに応答して、前記アクセスポイントから肯定応答フレームを受信することをさらに備える、
［Ｃ８］に記載の方法。
［Ｃ１１］
前記送信タイマーのタイムアウト値および前記アップリンクデータの前記しきい値量のうちの少なくとも１つは、前記アクセスポイントによって構成可能である、
［Ｃ８］に記載の方法。
［Ｃ１２］
前記アクセスポイントが前記送信許可フレームを送信する前に、アップリンク情報を取得するために前記アクセスポイントからポーリング要求フレームを受信することをさらに備える、
［Ｃ８］に記載の方法。
［Ｃ１３］
前記アクセスポイントから前記ポーリング要求フレームを受信したことに応答して、前記アップリンク情報を備えるポーリング応答フレームを生成することと、
前記ポーリング応答フレームを前記アクセスポイントに送信することと
をさらに備える、［Ｃ１２］に記載の方法。
［Ｃ１４］
前記アップリンク情報は、前記送信バッファ中に存在する前記アップリンクデータの量と、前記ユーザ端末の着信トラフィックレートと、前記アップリンクデータを送るための最大待ち時間と、メディアアクセス制御サービスデータユニットのサイズと、要求された送信機会長さと、前記ユーザ端末に関連する変調およびコーディング方式とのうちの少なくとも１つを備え、前記方法が、前記アップリンク情報を、前記ポーリング応答フレームのシーケンス制御フィールドまたはサービス品質制御フィールドの一方または両方の１つまたは複数のビットに挿入することをさらに備える、
［Ｃ１３］に記載の方法。
［Ｃ１５］
マルチユーザワイヤレス通信のためのアクセスポイントであって、
複数のユーザ端末のうちの１つまたは複数に選択的にアドレス指定された送信許可フレームを送信するように構成された送信機、前記送信許可フレームは、前記アクセスポイントにアップリンクデータを同時に送信するための、前記複数のユーザ端末のうちの前記１つまたは複数の各々のための指定された時間を示す、と、
前記指定された時間に前記複数のユーザ端末のうちの前記１つまたは複数の各々からアップリンクデータ送信を受信するように構成された受信機と
を備える、アクセスポイント。
［Ｃ１６］
前記受信機は、前記送信機が前記送信許可フレームを送信する前に、送信要求フレームを受信するように構成された、
［Ｃ１５］に記載のアクセスポイント。
［Ｃ１７］
前記送信機は、前記受信機が前記送信要求フレームを受信したことに応答して、肯定応答フレームを送信するようにさらに構成された、
［Ｃ１６］に記載のアクセスポイント。
［Ｃ１８］
前記送信機は、前記送信許可フレームを送信する前に、前記複数のユーザ端末からのアップリンク情報を取得するためにポーリング要求フレームを送信するように構成され、
前記受信機は、前記複数のユーザ端末からの前記アップリンク情報を備える少なくとも１つのポーリング応答フレームを受信するように構成された、
［Ｃ１５］に記載のアクセスポイント。
［Ｃ１９］
前記ポーリング要求フレームは、ヌルデータパケットを備える、
［Ｃ１８］に記載のアクセスポイント。
［Ｃ２０］
前記複数のユーザ端末の各々のためのトリガタイマーを維持することと、
トリガタイマーが満了すること、前記複数のユーザ端末のうちの少なくとも１つの伝送効率がしきい値を超えること、満了していないトリガタイマー上に残っている時間の降順、送信されるべきキューイングされたアップリンクデータの量の降順、および前記複数のユーザ端末に関連する伝送効率の降順に基づいて、前記送信許可フレームの送信の前に、前記送信許可フレームを前記複数のユーザ端末のうちの前記１つまたは複数に選択的にアドレス指定することと
を行うように構成されたプロセッサをさらに備える、［Ｃ１５］に記載のアクセスポイント。
［Ｃ２１］
前記プロセッサは、前記複数のユーザ端末の各々のバッファサイズ、トラフィックパターン、スリープサイクル、および受信信号強度インジケータのうちの１つまたは複数に基づいて、前記ポーリング要求フレームを前記複数のユーザ端末の各々に選択的にアドレス指定するようにさらに構成された、
［Ｃ２０］に記載のアクセスポイント。
［Ｃ２２］
前記送信機は、前記複数のユーザ端末のうちの少なくとも１つの伝送効率がしきい値を超えたとき、前記送信許可フレームを送信するようにさらに構成された、
［Ｃ１５］に記載のアクセスポイント。
［Ｃ２３］
アクセスポイントによるマルチユーザワイヤレス通信のための方法であって、
複数のユーザ端末のうちの１つまたは複数に選択的にアドレス指定された送信許可フレームを送信すること、前記送信許可フレームは、前記アクセスポイントにアップリンクデータを同時に送信するための、前記複数のユーザ端末のうちの前記１つまたは複数の各々のための指定された時間を示す、と、
前記指定された時間に前記複数のユーザ端末のうちの前記１つまたは複数の各々からアップリンクデータ送信を受信することと
を備える、方法。
［Ｃ２４］
前記送信許可フレームを送信する前に、送信要求フレームを受信することをさらに備える、
［Ｃ２３］に記載の方法。
［Ｃ２５］
前記受信機が前記送信要求フレームを受信したことに応答して、肯定応答フレームを送信することをさらに備える、
［Ｃ２４］に記載の方法。
［Ｃ２６］
前記送信許可フレームを送信する前に、前記複数のユーザ端末からのアップリンク情報を取得するためにポーリング要求フレームを送信することと、
前記複数のユーザ端末からの前記アップリンク情報を備える少なくとも１つのポーリング応答フレームを受信することと
をさらに備える、［Ｃ２３］に記載の方法。
［Ｃ２７］
前記ポーリング要求フレームは、ヌルデータパケットを備える、
［Ｃ２６］に記載の方法。
［Ｃ２８］
前記複数のユーザ端末の各々のためのトリガタイマーを維持することと、
トリガタイマーが満了すること、前記複数のユーザ端末のうちの少なくとも１つの伝送効率がしきい値を超えること、満了していないトリガタイマー上に残っている時間の降順、送信されるべきキューイングされたアップリンクデータの量の降順、および前記複数のユーザ端末に関連する伝送効率の降順に基づいて、前記送信許可フレームの送信の前に、前記送信許可フレームを前記複数のユーザ端末のうちの前記１つまたは複数に選択的にアドレス指定することと
をさらに備える、［Ｃ２３］に記載の方法。
［Ｃ２９］
前記複数のユーザ端末の各々のバッファサイズ、トラフィックパターン、スリープサイクル、および受信信号強度インジケータのうちの１つまたは複数に基づいて、前記ポーリング要求フレームを前記複数のユーザ端末の各々に選択的にアドレス指定することをさらに備える、
［Ｃ２６］に記載の方法。
［Ｃ３０］
前記送信許可フレームは、前記複数のユーザ端末のうちの少なくとも１つの伝送効率がしきい値を超えたときに送信される、
［Ｃ２３］に記載の方法。